(57)【要約】  本発明の一形態に係るユーザ装置は、基地局から、マルチキャリア方式とシングルキャリア方式とのうち上りリンクにおいて適用可能な方式に関する信号波形設定情報を受信する受信部と、前記受信した信号波形設定情報を設定する設定部と、前記設定した信号波形設定情報に従って、上り信号を送信する送信部とを有する。
2018083868.tif 000002
【特許請求の範囲】
【請求項１】
基地局から、マルチキャリア方式とシングルキャリア方式とのうち上りリンクにおいて適用可能な方式に関する信号波形設定情報を受信する受信部と、
前記受信した信号波形設定情報を設定する設定部と、
前記設定した信号波形設定情報に従って、上り信号を送信する送信部と、
を有するユーザ装置。
【請求項２】
前記送信部は、当該ユーザ装置が能力情報を前記基地局に送信し、
前記受信部は、前記能力情報に応じて決定された信号波形設定情報を受信する、請求項１に記載のユーザ装置。
【請求項３】
前記受信部は、上り制御チャネル用の信号波形設定情報及び上りデータチャネル用の信号波形設定情報を受信し、
前記設定部は、前記受信した上り制御チャネル用の信号波形設定情報及び上りデータチャネル用の信号波形設定情報を設定し、
前記送信部は、前記設定した上り制御チャネル用の信号波形設定情報に従って、上り制御チャネル上で上り制御情報を送信し、前記設定した上りデータチャネル用の信号波形設定情報に従って、上りデータチャネル上で上りデータを送信する、請求項１又は２に記載のユーザ装置。
【請求項４】
ユーザ装置における上り信号送信方法であって、
基地局から、マルチキャリア方式とシングルキャリア方式とのうち上りリンクにおいて適用可能な方式に関する信号波形設定情報を受信するステップと、
前記受信した信号波形設定情報を設定するステップと、
前記設定した信号波形設定情報に従って、上り信号を送信するステップと、
を有する上り信号送信方法。
【発明の詳細な説明】
【技術分野】
【０００１】
本発明は、ユーザ装置及び上り信号送信方法に関する。
【背景技術】
【０００２】
ＬＴＥ（Long Term Evolution）方式の無線通信システムでは、下りリンクについてはＯＦＤＭＡ（Orthogonal Frequency Division Multiple Access）が採用され、上りリンクについてはＳＣ−ＦＤＭＡ（Single Carrier-Frequency Division Multiple Access）が採用されている（非特許文献１参照）。【０００３】
特に、上りリンクにおいては、ピーク対平均電力比（ＰＡＰＲ：Peak-to-Average Power Ratio）を低く抑えることができるＳＣ−ＦＤＭＡ方式が採用されており、上り信号の周波数領域での生成法としてＤＦＴ−ｓ−ＯＦＤＭ（Discrete Fourier Transform-Spread-Orthogonal Frequency Multiplexing）が用いられる。ＤＦＴ−ｓ−ＯＦＤＭは、ＯＦＤＭ送信においてＩＦＦＴ（Inverse Fast Fourier Transform）の前段にＤＦＴ（Discrete Fourier Transform）を設けることによってシングルキャリア伝送を実現する。
【先行技術文献】
【非特許文献】
【０００４】
【非特許文献１】3GPP TS36.201, V8.3.0 (2009-03)
【発明の概要】
【発明が解決しようとする課題】
【０００５】
次世代の無線通信システムでは、高速通信及び大容量化に対する要求条件を満たす必要があり、例えば、第５世代の無線通信システムでは、１０Ｇｂｐｓのピークデータレートが望まれる。このような要求条件を満たすために、上りリンクにおいてＯＦＤＭを用いたマルチキャリア方式が適用可能なユーザ装置が開発されることが想定される。【０００６】
ＯＦＤＭとＤＦＴ−ｓ−ＯＦＤＭとでは上り信号の生成法及び復号法が異なるため、ＯＦＤＭが用いられるかＤＦＴ−ｓ−ＯＦＤＭが用いられるかを基地局及びユーザ装置との間で適切に設定しなければ基地局において上り信号が受信できなくなる。【０００７】
本発明は、上りリンクにおいてシングルキャリア方式とマルチキャリア方式とが適用可能な無線通信システムにおいて、上りリンクにおいて適用可能な方式を設定することによって基地局とユーザ装置との間における上り信号の送受信を実現することを目的とする。
【課題を解決するための手段】
【０００８】
本発明の一形態に係るユーザ装置は、
基地局から、マルチキャリア方式とシングルキャリア方式とのうち上りリンクにおいて適用可能な方式に関する信号波形設定情報を受信する受信部と、
前記受信した信号波形設定情報を設定する設定部と、
前記設定した信号波形設定情報に従って、上り信号を送信する送信部と、
を有することを特徴とする。
【発明の効果】
【０００９】
本発明によれば、上りリンクにおいてシングルキャリア方式とマルチキャリア方式とが適用可能な無線通信システムにおいて、上りリンクにおいて適用可能な方式を設定することによって基地局とユーザ装置との間における上り信号の送受信を実現することが可能になる。
【図面の簡単な説明】
【００１０】
【図１】本発明の実施例に係る無線通信システムの構成例を示す概略図
【図２】本発明の実施例に係る無線通信システムにおける上り信号送信方法のシーケンス図（その１）
【図３】本発明の実施例に係る無線通信システムにおける上り信号送信方法のシーケンス図（その２）
【図４】本発明の実施例に係る基地局の機能構成を示すブロック図
【図５】本発明の実施例に係るユーザ装置の機能構成を示すブロック図
【図６】本発明の実施例に係る無線通信装置のハードウェア構成の一例を示す図
【発明を実施するための形態】
【００１１】
以下、図面を参照して本発明の実施例を説明する。なお、以下で説明する実施例は一例に過ぎず、本発明が適用される実施例は、以下の実施例に限られるわけではない。例えば、本実施例に係る無線通信システムはＬＴＥの後継の無線通信システムを想定しているが、本発明はＬＴＥの後継の無線通信システムに限定されるわけではなく、他の方式にも適用可能である。
【００１２】
＜システム構成＞
図１は、本発明の実施例に係る無線通信システムの構成例を示す概略図である。図１に示すように、本発明の実施例に係る無線通信システムは、基地局ｅＮＢとユーザ装置ＵＥ１及びＵＥ２とを有する。図１の例では、１つの基地局ｅＮＢ及び２つのユーザ装置ＵＥ１及びＵＥ２（併せてＵＥと呼ばれる）が図示されているが、複数の基地局ｅＮＢを有していてもよいし、１つ又は３つ以上のユーザ装置ＵＥを有していてもよい。
【００１３】
基地局ｅＮＢは、１つまたは複数（例えば、３つ）の（セクタとも呼ばれる）セルを収容することができる。基地局ｅＮＢが複数のセルを収容する場合、基地局ｅＮＢのカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局ｅＮＢは、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【００１４】
ユーザ装置ＵＥは、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００１５】
基地局ｅＮＢ及びユーザ装置ＵＥは、所定の帯域を用いて下りリンク（ＤＬ：Downlink）及び上りリンク（ＵＬ：Uplink）の通信を行う。
【００１６】
まず、下りリンクの通信に用いられる主なチャネルについて説明する。
【００１７】
ユーザ装置ＵＥは、基地局ｅＮＢと通信するために、基本情報であるブロードキャスト情報を受信する必要がある。ブロードキャスト情報は、システム帯域幅及びシステムフレーム番号などを含むＭＩＢ（Master Information Block）と、その他のシステム情報であるＳＩＢ（System Information Block）とが含まれる。なお、ＳＩＢは後述する下りデータチャネルで送信されてもよい。
【００１８】
ユーザ装置ＵＥは、下り制御チャネルを用いて、リソースの割り当て等を含む下り制御情報（ＤＣＩ：Downlink Control Information）を受信するが、当該下り制御チャネルは、ＰＤＣＣＨ（Physical Downlink Control Channel）と呼ばれてもよい。
【００１９】
また、ユーザ装置ＵＥは、下り共有チャネル（下りデータチャネル）を用いて下りデータを受信するが、当該下り共有チャネルは、ＰＤＳＣＨ（Physical Downlink Shared Channel）と呼ばれてもよい。
【００２０】
次に、上りリンクの通信に用いられる主なチャネルについて説明する。
【００２１】
ユーザ装置ＵＥは、上り制御チャネルを用いて、ＰＤＳＣＨに対するＡＣＫ／ＮＡＣＫ、下りチャネルの受信品質又はスケジューリング割り当て要求等を含む上り制御情報を送信するが、当該上り制御チャネルは、ＰＵＣＣＨ（Physical Uplink Control Channel）と呼ばれてもよい。
【００２２】
また、ユーザ装置ＵＥは、上り共有チャネル（上りデータチャネル）を用いて上りデータを送信するが、当該上り共有チャネルは、ＰＵＳＣＨ（Physical Uplink Shared Channel）と呼ばれてもよい。
【００２３】
上記のチャネル及び信号は、ＬＴＥにおける例であり、上記の名称とは異なる名称が用いられてもよい。
【００２４】
上記のチャネル及び信号は、例えば、時間領域及び周波数領域で構成されるリソースの所定の部分で送信される。無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各ユーザ装置に無線リソース（各ユーザ装置において使用することが可能な周波数帯域幅及び／又は送信電力等）を割り当てるスケジューリングを行う。スケジューリングの最小時間単位をＴＴＩ（Transmission Time Interval）と呼んでもよい。例えば、１サブフレームをＴＴＩと呼んでもよいし、複数の連続したサブフレームをＴＴＩと呼んでもよいし、１スロットをＴＴＩと呼んでもよいし、１スロットを複数に分割したミニスロットをＴＴＩと呼んでも良い。
【００２５】
リソースブロック（ＲＢ）は、時間領域および周波数領域のリソース割当単位であり、周波数領域では１つまたは複数個の連続した副搬送波（subcarrier）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。上述した無線フレームの構造は例示に過ぎず、無線フレームに含まれるサブフレームの数、サブフレームに含まれるスロットの数、ミニスロットの数、スロット又はミニスロットに含まれるシンボルおよびリソースブロックの数、および、リソースブロックに含まれるサブキャリアの数は様々に変更することができる。
【００２６】
本発明の実施例に係る無線通信システムでは、上りリンクにおいてＯＦＤＭを用いたマルチキャリア方式とＤＦＴ−ｓ−ＯＦＤＭを用いたシングルキャリア方式とが適用可能であることを仮定する。ＯＦＤＭは周波数上にサブキャリアを並べることで高速伝送を実現し、周波数の利用効率を上げることができる。したがって、セル中央付近のユーザ装置（図１のＵＥ１）に対してＯＦＤＭを用いたマルチキャリア方式を適用することで、高スループットが実現できる。一方、ＤＦＴ−ｓ−ＯＦＤＭは、連続的な周波数帯域を用いて伝送する。ＤＦＴ−ｓ−ＯＦＤＭでは、送信電力の変動が小さくなる特徴を持つことから、ユーザ装置の出力電圧を上げることができ、広いカバレッジを実現できる。したがって、セル端付近のユーザ装置（図１のＵＥ２）に対してＤＦＴ−ｓ−ＯＦＤＭを用いたシングルキャリア方式を適用することで、広いカバレッジを実現できる。
【００２７】
上りリンクにおいてシングルキャリア方式に加えてマルチキャリア方式が適用できる場合、セル内において、マルチキャリア方式とシングルキャリア方式とを切り替えることもでき、マルチキャリア方式のみを適用することもできる。本発明の実施例では、上りリンクにおいてマルチキャリア方式とシングルキャリア方式とを切り替えるか、マルチキャリア方式のみを適用するかを、基地局ｅＮＢが決定し、ユーザ装置ＵＥに通知することで、基地局ｅＮＢとユーザ装置ＵＥとの間における上り信号の送受信を実現する。
【００２８】
＜上り信号送信方法の手順＞
図２は、本発明の実施例に係る無線通信システムにおける上り信号送信方法のシーケンス図（その１）である。
【００２９】
まず、基地局ｅＮＢは、マルチキャリア方式とシングルキャリア方式とのうち上りリンクにおいて適用可能な方式に関する信号波形設定情報を生成し、ユーザ装置ＵＥに送信する（Ｓ１０２）。
【００３０】
以下の説明において、マルチキャリア方式とシングルキャリア方式とのうち上りリンクにおいて適用可能な方式を示す情報を、信号波形設定情報又はwaveform configurationと呼ぶ。waveform configurationは、（１）基地局ｅＮＢのセル内においてマルチキャリア方式とシングルキャリア方式との両方が適用可能でダイナミックに切り替えるという内容でもよく、（２）基地局ｅＮＢのセル内においてマルチキャリア方式とシングルキャリア方式との両方が適用可能でセミスタティックに切り替えるという内容でもよく、（３）基地局ｅＮＢのセル内においてマルチキャリア方式のみが適用可能であるという内容でもよい。ここで、ダイナミックな切り替えとは、サブフレーム単位での切り替えと表現されてもよく、例えば、ＤＣＩによってマルチキャリア方式とシングルキャリア方式とを切り替えることを示す。また、セミスタティックな切り替えとは、１サブフレームよりも長い一定の時間又は可変の時間での切り替えと表現されてもよい。
【００３１】
また、waveform configurationは、（１）基地局ｅＮＢのセル内においてマルチキャリア方式とシングルキャリア方式との両方が適用可能であるという内容でもよく、（２）基地局ｅＮＢのセル内においてマルチキャリア方式のみが適用可能であるという内容でもよい。waveform configurationが（１）基地局ｅＮＢのセル内においてマルチキャリア方式とシングルキャリア方式との両方が適用可能であるという内容である場合、このwaveform configurationは、（１ａ）基地局ｅＮＢのセル内においてマルチキャリア方式とシングルキャリア方式との両方が適用可能でダイナミックに切り替えるという内容と、（１ｂ）基地局ｅＮＢのセル内においてマルチキャリア方式とシングルキャリア方式との両方が適用可能でセミスタティックに切り替えるという内容とに更に分類されてもよい。
【００３２】
waveform configurationはブロードキャスト情報を用いてユーザ装置ＵＥに通知されてもよい。例えば、waveform configurationはＭＩＢ又はＳＩＢを用いてユーザ装置ＵＥに通知されてもよい。この場合、セル内の全ユーザ装置ＵＥは共通のwaveform configurationを受信する。
【００３３】
また、waveform configurationはランダムアクセス手順におけるメッセージを用いてユーザ装置ＵＥに通知されてもよい。例えば、waveform configurationはランダムアクセス手順におけるランダムアクセスレスポンス（RA response（message2とも呼ばれる））を用いてユーザ装置ＵＥに通知されてもよい。この場合、セル内の全ユーザ装置ＵＥは共通のwaveform configurationを受信する。
【００３４】
また、waveform configurationはページングメッセージを用いてユーザＵＥに通知されてもよい。この場合、セル内の全ユーザ装置ＵＥは共通のwaveform configurationを受信する。
【００３５】
また、waveform configurationはＲＲＣ（Radio Resource Control）接続設定又はＳ１接続設定のようなユーザ装置ＵＥとの接続設定手順におけるメッセージを用いてユーザ装置ＵＥに通知されてもよい。例えば、waveform configurationはRRC connection setup又はRRC connection reconfigurationを用いてユーザ装置ＵＥに通知されてもよい。例えば、RRC connection setupが用いられる場合、セル内の全ユーザ装置ＵＥは共通のwaveform configurationを受信する。例えば、RRC connection reconfigurationが用いられる場合、以下に詳細に説明するように、事前にユーザ装置ＵＥが対応している周波数バンド、UEカテゴリ、最大伝送レートなどを示す能力情報（UE capabilityとも呼ばれる）を基地局ｅＮＢに送信することができるため、ユーザ装置ＵＥに応じてwaveform configurationを変更することができる。
【００３６】
また、ＰＵＣＣＨとＰＵＳＣＨとで共通のwaveform configurationが用いられてもよく、ＰＵＣＣＨとＰＵＳＣＨとで別々のwaveform configurationが用いられてもよい。別々のwaveform configurationが用いられる場合、ＰＵＣＣＨ用のwaveform configurationとＰＵＳＣＨ用のwaveform configurationは１つのメッセージ内でまとめて通知されてもよく、別々のメッセージを用いて通知されてもよい。
【００３７】
また、waveform configurationが（１）基地局ｅＮＢのセル内においてマルチキャリア方式とシングルキャリア方式との両方が適用可能であるという内容、又は（２）基地局ｅＮＢのセル内においてマルチキャリア方式のみが適用可能であるという内容を示し、更に、別のwaveform configurationが（１ａ）基地局ｅＮＢのセル内においてマルチキャリア方式とシングルキャリア方式との両方が適用可能でダイナミックに切り替えるという内容、又は（１ｂ）基地局ｅＮＢのセル内においてマルチキャリア方式とシングルキャリア方式との両方が適用可能でセミスタティックに切り替えるという内容を示す場合、これらのwaveform configurationは１つのメッセージ内でまとめて通知されてもよく、別々のメッセージを用いて通知されてもよい。
【００３８】
ユーザ装置ＵＥは、waveform configurationを受信して設定する（Ｓ１０４）。
【００３９】
上記のように、waveform configurationは、ブロードキャスト情報、ランダムアクセス手順におけるメッセージ、ページングメッセージ、又は接続設定手順におけるメッセージ等を用いて通知される。ユーザ装置ＵＥは、受信したwaveform configurationを自装置内に設定する。
【００４０】
waveform configurationが通知されない場合、ユーザ装置ＵＥは、予め決められたwaveform configurationを設定してもよく、以前に受信したwaveform configurationを継続して設定してもよい。
【００４１】
なお、waveform configurationには、ブロードキャスト情報、ランダムアクセス手順におけるメッセージ、ページングメッセージ、又は接続設定手順におけるメッセージ等が用いられるが、これらの組み合わせが用いられてもよい。これらの組み合わせが用いられる場合、ユーザ装置ＵＥは、以前に受信したwaveform configurationを最新のwaveform configurationで上書きしてもよく、予め決められた優先度に従ってwaveform configurationを設定してもよい。例えば、RRC connection reconfigurationに含まれるwaveform configurationを設定した後に、ＭＩＢ又はＳＩＢに含まれる別内容のwaveform configurationを受信した場合、RRC connection reconfigurationに含まれるwaveform configurationを優先して、ＭＩＢ又はＳＩＢに含まれるwaveform configurationは破棄してもよい。ここで、RRC connection reconfigurationとＭＩＢ又はＳＩＢとを用いた優先度は単なる例であり、どのような優先度が用いられてもよい。
【００４２】
ＰＵＣＣＨとＰＵＳＣＨとで別々のwaveform configurationが用いられる場合、ユーザ装置ＵＥは、ＰＵＣＣＨ用のwaveform configuration及びＰＵＳＣＨ用のwaveform configurationを設定する。
【００４３】
ユーザ装置ＵＥは、設定したwaveform configurationに従って上り信号を送信する（Ｓ１０６）。
【００４４】
（１）基地局ｅＮＢのセル内においてマルチキャリア方式とシングルキャリア方式との両方が適用可能でダイナミックに切り替えるというwaveform configurationを設定している場合、ユーザ装置ＵＥは、基地局ｅＮＢの指示により、マルチキャリア方式とシングルキャリア方式とをダイナミックに切り替えて上り信号を送信する。（２）基地局ｅＮＢのセル内においてマルチキャリア方式とシングルキャリア方式との両方が適用可能でセミスタティックに切り替えるというwaveform configurationを設定している場合、ユーザ装置ＵＥは、基地局ｅＮＢの指示により、マルチキャリア方式とシングルキャリア方式とをセミスタティックに切り替えて上り信号を送信する。（３）基地局ｅＮＢのセル内においてマルチキャリア方式のみが適用可能であるというwaveform configurationを設定している場合、ユーザ装置ＵＥは、常にマルチキャリア方式を適用して上り信号を送信する。
【００４５】
ＰＵＣＣＨとＰＵＳＣＨとで別々のwaveform configurationが用いられる場合、ユーザ装置ＵＥは、ＰＵＣＣＨ用のwaveform configurationに従って、ＰＵＣＣＨ上で上り制御情報を送信し、ＰＵＳＣＨ用のwaveform configurationに従って、ＰＵＳＣＨ上で上りデータを送信する。
【００４６】
図３は、本発明の実施例に係る無線通信システムにおける上り信号送信方法のシーケンス図（その２）である。図３に示すシーケンス図は、ステップＳ１０２の前にステップＳ１０１が実行される点で図２に示すシーケンス図と異なる。以下、図２に示すシーケンス図と異なる点について説明する。
【００４７】
まず、ユーザ装置ＵＥは、ユーザ装置ＵＥの能力情報（UE capability）を基地局ｅＮＢに送信する（Ｓ１０１）。
【００４８】
UE capabilityはユーザ装置ＵＥが対応している周波数バンド、UEカテゴリ、最大伝送レートなどを示す情報を含む。UE capabilityはマルチキャリア方式とシングルキャリア方式とをスタティックに切り替えることができるか、ダイナミックに切り替えることができるかを示す情報等を更に含んでもよい。
【００４９】
例えば、UE capabilityは、RRC connection setupのような接続設定手順におけるメッセージを用いて基地局ｅＮＢに送信される。
【００５０】
基地局ｅＮＢは、UE capabilityに応じてwaveform configurationを生成し、ユーザ装置ＵＥに送信する（Ｓ１０２）。
【００５１】
この場合、waveform configurationはユーザ装置別に設定できるため、例えば、RRC connection reconfigurationのようなユーザ装置に応じて設定内容を変更できるメッセージを用いて送信される。
【００５２】
以降、図２を参照して説明した通り、ユーザ装置ＵＥは、waveform configurationを受信して設定し（Ｓ１０４）、設定したwaveform configurationに従って上り信号を送信する（Ｓ１０６）。
【００５３】
＜機能構成＞
図４は、本発明の実施例に係る基地局１０の機能構成を示すブロック図である。
【００５４】
基地局１０は、送信部１０１と、受信部１０３と、waveform configuration生成部１０５とを有する。
【００５５】
送信部１０１は、基地局１０から送信されるべき各種の下り信号を生成し、ユーザ装置ＵＥに送信する。送信部１０１は、以下に説明するwaveform configuration生成部１０５において生成したwaveform configurationをユーザ装置ＵＥに送信する。
【００５６】
受信部１０３は、ユーザ装置ＵＥから各種の上り信号を受信する。受信部１０３は、waveform configurationに従ってユーザ装置ＵＥが送信した上り信号（上り制御情報及び上りデータ）を受信する。また、受信部１０３は、waveform configurationをユーザ装置別に設定可能にするため、UE capabilityをユーザ装置ＵＥから受信してもよい。
【００５７】
waveform configuration生成部１０５は、セル内において適用するwaveform configurationを設定する。waveform configuration生成部１０５は、セル内の全ユーザ装置に対して共通のwaveform configurationを生成してもよく、例えば、UE capabilityに応じてユーザ装置別のwaveform configurationを生成してもよい。また、waveform configuration生成部１０５は、ＰＵＣＣＨとＰＵＳＣＨとで共通のwaveform configurationを生成してもよく、ＰＵＣＣＨとＰＵＳＣＨとで別々のwaveform configurationを生成してもよい。
【００５８】
図５は、本発明の実施例に係るユーザ装置２０の機能構成を示すブロック図である。
【００５９】
ユーザ装置２０は、受信部２０１と、送信部２０３と、waveform configuration設定部２０５とを有する。
【００６０】
受信部２０１は、基地局ｅＮＢから各種の下り信号を受信する。受信部２０１は、基地局ｅＮＢから送信されたwaveform configurationを受信する。受信部２０１は、ＰＵＣＣＨとＰＵＳＣＨとで共通のwaveform configurationを受信してもよく、ＰＵＣＣＨとＰＵＳＣＨとで別々のwaveform configurationを受信してもよい。
【００６１】
送信部２０３は、ユーザ装置２０から送信されるべき各種の上り信号を生成し、基地局ｅＮＢに送信する。送信部２０３は、以下に説明するwaveform configuration設定部２０５において設定したwaveform configurationに従って上り信号を送信する。また、送信部２０３は、UE capabilityを基地局ｅＮＢに送信してもよい。基地局ｅＮＢからwaveform configurationが通知されない場合、送信部２０３は、予め決められたwaveform configurationに従って上り信号を送信してもよく、以前に受信したwaveform configurationに従って上り信号を送信してもよい。ＰＵＣＣＨとＰＵＳＣＨとで別々のwaveform configurationが用いられる場合、送信部２０３は、ＰＵＣＣＨ用のwaveform configurationに従って、ＰＵＣＣＨ上で上り制御情報を送信し、ＰＵＳＣＨ用のwaveform configurationに従って、ＰＵＳＣＨ上で上りデータを送信する。
【００６２】
waveform configuration設定部２０５は、受信部２０１において受信したwaveform configurationを設定する。waveform configuration設定部２０５は、以前に受信したwaveform configurationを最新のwaveform configurationで上書きしてもよく、予め決められた優先度に従ってwaveform configurationを設定してもよい。また、waveform configuration設定部２０５は、ＰＵＣＣＨとＰＵＳＣＨとで共通のwaveform configurationを設定してもよく、ＰＵＣＣＨとＰＵＳＣＨとで別々のwaveform configurationを設定してもよい。
【００６３】
＜ハードウェア構成＞
なお、上記実施例の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６４】
例えば、本発明の一実施例における基地局、ユーザ装置などは、本発明の上り信号送信方法の処理を行うコンピュータとして機能してもよい。図６は、本発明の実施例に係る基地局１０又はユーザ装置２０である無線通信装置のハードウェア構成の一例を示す図である。上述の基地局１０及びユーザ装置２０は、物理的には、プロセッサ１００１、メモリ１００２、ストレージ１００３、通信装置１００４、入力装置１００５、出力装置１００６、バス１００７などを含むコンピュータ装置として構成されてもよい。
【００６５】
なお、以下の説明では、「装置」という文言は、回路、デバイス、ユニットなどに読み替えることができる。基地局１０及びユーザ装置２０のハードウェア構成は、図に示した各装置を１つ又は複数含むように構成されてもよいし、一部の装置を含まずに構成されてもよい。
【００６６】
基地局１０及びユーザ装置２０における各機能は、プロセッサ１００１、メモリ１００２などのハードウェア上に所定のソフトウェア（プログラム）を読み込ませることで、プロセッサ１００１が演算を行い、通信装置１００４による通信、及び／又は、メモリ１００２及びストレージ１００３におけるデータの読み出し及び／又は書き込みを制御することで実現される。
【００６７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述の基地局１０のwaveform configuration生成部１０５、ユーザ装置２０のwaveform configuration設定部２０５などは、プロセッサ１００１で実現されてもよい。
【００６８】
また、プロセッサ１００１は、プログラム（プログラムコード）、ソフトウェアモジュール及び／又はデータを、ストレージ１００３及び／又は通信装置１００４からメモリ１００２に読み出し、これらに従って各種の処理を実行する。プログラムとしては、上述の実施例で説明した動作の少なくとも一部をコンピュータに実行させるプログラムが用いられる。例えば、基地局１０のwaveform configuration生成部１０５、ユーザ装置２０のwaveform configuration設定部２０５は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６９】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施例に係る上り信号送信方法を実施するために実行可能なプログラム（プログラムコード）、ソフトウェアモジュールなどを保存することができる。
【００７０】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０１、受信部１０３、受信部２０１、送信部２０３などは、通信装置１００４で実現されてもよい。
【００７２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７３】
また、プロセッサ１００１及び／又はメモリ１００２などの各装置は、情報を通信するためのバス１００７で接続される。バス１００７は、単一のバスで構成されてもよいし、装置間で異なるバスで構成されてもよい。
【００７４】
また、基地局１０及びユーザ装置２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７５】
＜本発明の実施例の効果＞
本発明の実施例によれば、上りリンクにおいてシングルキャリア方式とマルチキャリア方式とが適用可能な無線通信システムにおいて、上りリンクにおいて適用可能な方式を設定することによって基地局ｅＮＢとユーザ装置ＵＥとの間における上り信号の送受信が実現できる。
【００７６】
また、waveform configurationは基地局ｅＮＢとユーザ装置ＵＥとの間の既存のメッセージ交換の中で送受信することができ、（１）基地局ｅＮＢのセル内においてマルチキャリア方式とシングルキャリア方式との両方が適用可能でダイナミックに切り替えるという内容、（２）基地局ｅＮＢのセル内においてマルチキャリア方式とシングルキャリア方式との両方が適用可能でセミスタティックに切り替えるという内容、及び（３）基地局ｅＮＢのセル内においてマルチキャリア方式のみが適用可能であるという内容の３種類のwaveform configurationが用いられる場合は、２ビットの情報量でwaveform configurationを表現することができる。また、（１）基地局ｅＮＢのセル内においてマルチキャリア方式とシングルキャリア方式との両方が適用可能であるという内容、及び（２）基地局ｅＮＢのセル内においてマルチキャリア方式のみが適用可能であるという内容の２種類のwaveform configurationが用いられる場合は、１ビットの情報量でwaveform configurationを表現することができる。更に、（１ａ）基地局ｅＮＢのセル内においてマルチキャリア方式とシングルキャリア方式との両方が適用可能でダイナミックに切り替えるという内容、及び（１ｂ）基地局ｅＮＢのセル内においてマルチキャリア方式とシングルキャリア方式との両方が適用可能でセミスタティックに切り替えるという内容を１ビットの情報量で表現することができる。その結果、ダイナミックな切り替えとセミスタティックな切り替えの設定を変更する場合に、waveform configurationの情報量を削減することも可能である。
【００７７】
また、UE capabilityを考慮してwaveform configurationを設定することにより、ユーザ装置別のwaveform configurationの設定が実現できる。
【００７８】
更に、ＰＵＣＣＨとＰＵＳＣＨとで別々のwaveform configurationを設定することにより、柔軟な設定が実現できると共に、例えばデータチャネルに対しては常にマルチキャリア方式を適用することで高速通信及び大容量化を実現できる。
【００７９】
＜補足＞
本明細書で説明した各態様／実施例は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８０】
本明細書で使用する「システム」および「ネットワーク」という用語は、互換的に使用される。
【００８１】
本明細書において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００８２】
情報等は、上位レイヤ（または下位レイヤ）から下位レイヤ（または上位レイヤ）へ出力され得る。複数のネットワークノードを介して入出力されてもよい。
【００８３】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００８４】
情報の通知は、本明細書で説明した態様／実施例に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００８５】
判定は、１ビットで表される値（０か１か）によって行われてもよいし、真偽値（Boolean：trueまたはfalse）によって行われてもよいし、数値の比較（例えば、所定の値との比較）によって行われてもよい。
【００８６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８８】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８９】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００９０】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００９１】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００９２】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００９３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９４】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００９５】
「含む（include）」、「含んでいる（including）」、およびそれらの変形が、本明細書あるいは請求の範囲で使用されている限り、これら用語は、用語「備える（comprising）」と同様に、包括的であることが意図される。さらに、本明細書あるいは請求の範囲において使用されている用語「または（or）」は、排他的論理和ではないことが意図される。
【００９６】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９７】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９８】
以上、本発明について詳細に説明したが、当業者にとっては、本発明が本明細書中に説明した実施例に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００９９】
本国際出願は２０１６年１１月２日に出願した日本国特許出願２０１６−２１５７０７号に基づく優先権を主張するものであり、２０１６−２１５７０７号の全内容を本国際出願に援用する。
【符号の説明】
【０１００】
１０      基地局
１０１    送信部
１０３    受信部
１０５    waveform configuration生成部
２０      ユーザ装置
２０１    受信部
２０３    送信部
２０５    waveform configuration設定部
１００１  プロセッサ
１００２  メモリ
１００３  ストレージ
１００４  通信装置
１００５  入力装置
１００６  出力装置
【図１】
2018083868.tif 000003
【図２】
2018083868.tif 000004
【図３】
2018083868.tif 000005
【図４】
2018083868.tif 000006
【図５】
2018083868.tif 000007
【図６】
2018083868.tif 000008
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
基地局から、第１のＲＲＣシグナリングを受信する受信部と、
前記第１のＲＲＣシグナリングに従って、上り共有チャネルに対して離散フーリエ変換を適用すべきか否かを判断する制御部と、
前記上り共有チャネルにおいて上り信号を送信する送信部と、
を有するユーザ装置。
【請求項２】
前記制御部は、前記第１のＲＲＣシグナリングが通知されない場合、予め決められた動作を行い、前記第１のＲＲＣシグナリングが通知される場合、前記第１のＲＲＣシグナリングに従って、上り共有チャネルに対して離散フーリエ変換を適用すべきか否かを判断する、
請求項１に記載のユーザ装置。
【請求項３】
前記受信部は、第２のＲＲＣシグナリングを受信し、
前記制御部は、
前記第２のＲＲＣシグナリングに従って、上り制御チャネルに対して離散フーリエ変換を適用すべきか否かを判断する、
請求項１又は２に記載のユーザ装置。
【請求項４】
前記制御部は、前記上り共有チャネルに対してＤＦＴ−ｓ−ＯＦＤＭを適用すべきか否かを判断する、
請求項１乃至３のうちいずれか１項に記載のユーザ装置。
【請求項５】
ユーザ装置における上り信号送信方法であって、
基地局から、第１のＲＲＣシグナリングを受信するステップと、
前記第１のＲＲＣシグナリングに従って、上り共有チャネルに対して離散フーリエ変換を適用すべきか否かを判断するステップと、
前記上り共有チャネルにおいて上り信号を送信するステップと、
を有する上り信号送信方法。
【国際調査報告】
2018083868.tif 000009
2018083868.tif 000010
2018083868.tif 000011
2018083868.tif 000012